(57)【要約】【課題】梱包箱を倒した状態で梱包箱から映像表示装置を取り出して、映像表示装置に壁掛け金具を取り付けるときに、映像表示装置の表示面を傷つけるリスクを低減することができる映像表示装置の梱包構造を提供することを目的とする。【解決手段】映像表示装置１の梱包構造は、映像表示装置１の角部を保持する２つの緩衝部材２と、映像表示装置１および２つの緩衝部材２を収納する梱包箱３とを備えている。２つの緩衝部材２は、映像表示装置１の角部に嵌合する凹み部２ａと、取っ手溝２ｂとを有し、かつ、映像表示装置１に取り付けられた状態で、映像表示装置１の背面に取り付けられる壁掛け金具４が取り付け姿勢のまま通過可能な開口部２ｃを形成し、取っ手溝２ｂは、２つの緩衝部材２における梱包箱３の開封面３ａに対向する位置に形成されている。【選択図】図４
2020158135.tif 000002
【特許請求の範囲】
【請求項１】
映像表示装置の角部を保持する複数の第１の緩衝部材と、
前記映像表示装置および複数の前記第１の緩衝部材を収納する梱包箱と、を備え、
複数の前記第１の緩衝部材は、前記映像表示装置の角部に嵌合する凹み部と、取っ手溝とを有し、かつ、前記映像表示装置に取り付けられた状態で、前記映像表示装置の背面に取り付けられる壁掛け金具が取り付け姿勢のまま通過可能な開口部を形成し、
前記取っ手溝は、複数の前記第１の緩衝部材における前記梱包箱の開封面に対向する位置に形成される、映像表示装置の梱包構造。
【請求項２】
複数の前記第１の緩衝部材は、２つの前記第１の緩衝部材であり、
２つの前記第１の緩衝部材は、前記映像表示装置の左側部および右側部をそれぞれ覆うように取り付けられる、請求項１に記載の映像表示装置の梱包構造。
【請求項３】
第２の緩衝部材をさらに備え、
前記第２の緩衝部材は、前記映像表示装置が前記梱包箱に収納された状態で、前記梱包箱の内壁上面および前記映像表示装置の上面に接する、請求項２に記載の映像表示装置の梱包構造。
【請求項４】
２つの前記第１の緩衝部材が前記映像表示装置の左右に取り付けられた状態で、２つの前記第１の緩衝部材と前記映像表示装置の上面との間に形成された隙間に、前記第１の緩衝部材の内壁上面および前記映像表示装置の上面に接するように配置された２つの第３の緩衝部材をさらに備える、請求項２に記載の映像表示装置の梱包構造。
【請求項５】
複数の前記第１の緩衝部材は、前記映像表示装置の角部をそれぞれ保持する、左上緩衝部材、右上緩衝部材、左下緩衝部材、および右下緩衝部材により構成され、
前記左上緩衝部材および前記左下緩衝部材と、前記右上緩衝部材および前記右下緩衝部材とをそれぞれ固定する２つのバンドをさらに備える、請求項１に記載の映像表示装置の梱包構造。
【請求項６】
前記取っ手溝の幅は、前記バンドの幅よりも大きく形成され、
前記バンドは、前記取っ手溝の一部を通るように掛けられる、請求項５に記載の映像表示装置の梱包構造。
【請求項７】
２つの前記第１の緩衝部材は、２つの前記第１の緩衝部材の側面と底面、または上面と底面に形成された持ち手溝をさらに有する、請求項２から請求項４のいずれか１項に記載の映像表示装置の梱包構造。
【請求項８】
前記取っ手溝は２つの前記第１の緩衝部材の上面に形成される、請求項７に記載の映像表示装置の梱包構造。
【請求項９】
前記左上緩衝部材、前記右上緩衝部材、前記左下緩衝部材、および右下緩衝部材は、持ち手溝を有する、請求項５または請求項６に記載の映像表示装置の梱包構造。
【請求項１０】
前記取っ手溝は、前記左上緩衝部材および前記右上緩衝部材の上面に形成される、請求項９に記載の映像表示装置の梱包構造。
【請求項１１】
前記開口部は、前記壁掛け金具の正面視輪郭に対応する形状を有する、請求項１から請求項１０のいずれか１項に記載の映像表示装置の梱包構造。
【発明の詳細な説明】
【技術分野】
【０００１】
本発明は、梱包箱に梱包される液晶テレビなどの映像表示装置の梱包構造に関するものである。
【背景技術】
【０００２】
従来、映像表示装置は、一般的に設置状態と同じ姿勢で梱包されているため、作業者は、映像表示装置を梱包箱から取り出すとき、梱包箱の上面を開封し、梱包箱の奥深くまで手を差し込んでから、映像表示装置を上方向に持ち上げる必要がある（例えば、特許文献１参照）。
【先行技術文献】
【特許文献】
【０００３】
【特許文献１】特開２０１５−２０９２２９号公報
【発明の概要】
【発明が解決しようとする課題】
【０００４】
しかしながら、特許文献１に記載の技術では、映像表示装置を梱包箱から取り出すとき、作業者は映像表示装置を梱包箱の上面の高さまで持ち上げる必要があり、映像表示装置が大型になるほど、作業者の作業負荷が大きくなる。
【０００５】
そのため、作業者は、梱包箱を倒した状態で梱包箱から映像表示装置を取り出すことが考えられる。この場合、映像表示装置を梱包箱から取り出した後、映像表示装置に壁掛け金具を取り付けるが、このときに映像表示装置の表示面を下にして映像表示装置を地面または台の上に伏せるため、映像表示装置の表示面を傷つけるリスクが高かった。
【０００６】
そこで、本発明は、梱包箱を倒した状態で梱包箱から映像表示装置を取り出して、映像表示装置に壁掛け金具を取り付けるときに、映像表示装置の表示面を傷つけるリスクを低減することができる映像表示装置の梱包構造を提供することを目的とする。
【課題を解決するための手段】
【０００７】
本発明に係る映像表示装置の梱包構造は、映像表示装置の角部を保持する複数の第１の緩衝部材と、前記映像表示装置および複数の前記第１の緩衝部材を収納する梱包箱とを備え、複数の前記第１の緩衝部材は、前記映像表示装置の角部に嵌合する凹み部と、取っ手溝とを有し、かつ、前記映像表示装置に取り付けられた状態で、前記映像表示装置の背面に取り付けられる壁掛け金具が取り付け姿勢のまま通過可能な開口部を形成し、前記取っ手溝は、複数の前記第１の緩衝部材における前記梱包箱の開封面に対向する位置に形成されるものである。
【発明の効果】
【０００８】
本発明によれば、梱包箱を倒した状態で梱包箱から映像表示装置を取り出して、映像表示装置に壁掛け金具を取り付けるときに、映像表示装置の表示面を傷つけるリスクを低減することができる。
【図面の簡単な説明】
【０００９】
【図１】実施の形態１に係る映像表示装置の梱包構造が備える梱包箱に収納される映像表示装置の斜視図である。
【図２】映像表示装置の背面斜視図である。
【図３】映像表示装置に対する第１の緩衝部材の取り付け作業を示す斜視図である。
【図４】第１の緩衝部材が取り付けられた映像表示装置の梱包箱への収納作業を示す斜視図である。
【図５】梱包箱を倒す作業を示す斜視図である。
【図６】梱包箱から映像表示装置を取り出す作業を示す斜視図である。
【図７】梱包箱から映像表示装置を取り出す作業を示す正面図である。
【図８】図７のA-A線断面図である。
【図９】梱包箱から映像表示装置を取り出した状態を示す斜視図である。
【図１０】映像表示装置に対する壁掛け金具の取り付け作業を示す斜視図である。
【図１１】映像表示装置の表示面と地面とのクリアランスを示す断面図である。
【図１２】第１の緩衝部材に保持されていない映像表示装置の表示面と地面とのクリアランスを示す断面図である。
【図１３】第１の緩衝部材に保持されていないベゼルレスの映像表示装置の表示面と地面とのクリアランスを示す断面図である。
【図１４】実施の形態２において映像表示装置に対する第２の緩衝部材の取り付け作業を示す斜視図である。
【図１５】実施の形態２に係る映像表示装置の梱包構造の断面図である。
【図１６】実施の形態３において映像表示装置に対する第３の緩衝部材の取り付け作業を示す斜視図である。
【図１７】実施の形態３に係る映像表示装置の梱包構造の断面図である。
【図１８】実施の形態４において映像表示装置に取り付けられる第１の緩衝部材に対するバンドの固定方法を示す斜視図である。
【図１９】左上緩衝部材が映像表示装置に取り付けられた状態を示す斜視図である。
【図２０】実施の形態５において映像表示装置に取り付けられる第１の緩衝部材に対するバンドの固定方法を示す斜視図である。
【図２１】左上緩衝部材が映像表示装置に取り付けられた状態を示す斜視図である。
【図２２】実施の形態６において取っ手溝に指を入れて把持した状態で映像表示装置を立てる作業を示す斜視図である。
【図２３】持ち手溝に指を入れて把持した状態で映像表示装置を持ち上げる作業を示す斜視図である。
【図２４】実施の形態７において第１の緩衝部材が取り付けられた映像表示装置に専用壁掛け金具を固定する前の状態を示す背面図である。
【図２５】実施の形態７において第１の緩衝部材が取り付けられた映像表示装置に専用壁掛け金具が固定された状態を示す背面図である。
【発明を実施するための形態】
【００１０】
＜実施の形態１＞
本発明の実施の形態１について、図面を用いて以下に説明する。図１は、実施の形態１に係る映像表示装置１の梱包構造が備える梱包箱３に収納される映像表示装置１の斜視図である。図２は、映像表示装置１の背面斜視図である。
【００１１】
最初に、映像表示装置１について説明する。図１と図２に示すように、映像表示装置１は、前面である表示面１ａ、および背面１ｂを有している。また、映像表示装置１は、壁掛け設置に対応しているため、背面１ｂに４つのＶＥＳＡ穴１ｃが形成されている。なお、ＶＥＳＡ穴１ｃは、国際基準であるＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）規格に適合した位置および寸法で開けられた穴である。
【００１２】
次に、映像表示装置１の梱包構造について説明する。図３は、映像表示装置１に対する緩衝部材２の取り付け作業を示す斜視図である。図４は、緩衝部材２が取り付けられた映像表示装置１の梱包箱３への収納作業を示す斜視図である。
【００１３】
図３と図４に示すように、映像表示装置１の梱包構造は、２つの緩衝部材２と梱包箱３とを備えている。２つの緩衝部材２は、映像表示装置１の左右側部にそれぞれ取り付けられ、映像表示装置１の４つの角部を保持する。梱包箱３は、２つの緩衝部材２が取り付けられた映像表示装置１を収納する。
【００１４】
２つの緩衝部材２の上下方向の長さは、映像表示装置１の上下方向の長さよりも長く形成されている。そのため、２つの緩衝部材２は、映像表示装置１の左右に取り付けられた状態で、映像表示装置１の左右側部をそれぞれ覆い、保持することが可能である。
【００１５】
各緩衝部材２は、２つの凹み部２ａと取っ手溝２ｂとを備えている。凹み部２ａは、緩衝部材２における映像表示装置１の角部に対向する位置に形成されており、映像表示装置１の角部に嵌合する。取っ手溝２ｂは、緩衝部材２の上面、すなわち、緩衝部材２における梱包箱３の開封面である上面に対向する位置に左右方向に延びるように形成されている。これにより、作業者は、取っ手溝２ｂに指をかけて映像表示装置１を取り出すことが可能である。また、２つの緩衝部材２は、映像表示装置１に取り付けられた状態で、映像表示装置１のＶＥＳＡ穴１ｃおよびその周辺を覆わないように開口部２ｃが形成されている。ここで、２つの緩衝部材２が複数の第１の緩衝部材に相当する。
【００１６】
図４に示すように、梱包箱３は、映像表示装置１の上側に位置する上面である開封面３ａ、映像表示装置１の表示面１ａに対向する前面３ｂ、映像表示装置１の背面１ｂに対向する背面３ｃ、梱包箱３の側面である側面３ｆ、梱包箱３の底面である底面３ｇを有している。
【００１７】
次に、映像表示装置１の梱包手順について説明する。まず、図３に示すように、２つの緩衝部材２は、それぞれの凹み部２ａが映像表示装置１の角部に嵌合するように、映像表示装置１の左右に取り付けられる。このとき、緩衝部材２の取っ手溝２ｂは、映像表示装置１の上面に位置する。
【００１８】
緩衝部材２に左右の側部を保持された映像表示装置１は、図４に示すように、梱包箱３の開封面３ａから梱包箱３に収納される。このとき、映像表示装置１は、緩衝部材２の取っ手溝２ｂがない底面側を下にして梱包箱３に収納される。このようにすることで、梱包箱３の上下前後方向と映像表示装置１の上下前後方向が一致するため、梱包箱３に収納された状態であっても作業者は映像表示装置１の姿勢を認識することができる。
【００１９】
次に、映像表示装置１の開梱手順について説明する。図５は、梱包箱３を倒す作業を示す斜視図である。図６は、梱包箱３から映像表示装置１を取り出す作業を示す斜視図である。図７は、梱包箱３から映像表示装置１を取り出す作業を示す正面図である。図８は、図７のA-A線断面図である。
【００２０】
まず、梱包箱３は、一般的に開封面３ａが上向きになる姿勢で輸送される。図５に示すように、開封面３ａが上向きになる姿勢で運ばれてきた梱包箱３は、前面３ｂが地面に伏せるように倒される。すなわち、梱包箱３は、映像表示装置１の表示面１ａが下になるように倒される。このとき、梱包箱３を、箱の前稜線３ｄを支点にして倒すことで、映像表示装置１を伏せる作業負荷は著しく軽減される。
【００２１】
図６に示すように、開封面３ａが開封されることで、映像表示装置１および緩衝部材２が視認可能な状態となる。図７と図８に示すように、作業者は、緩衝部材２の上面に形成された取っ手溝２ｂに指を入れ、緩衝部材２が取り付けられた状態で映像表示装置１を梱包箱３から引き出す。
【００２２】
なお、取っ手溝２ｂは、梱包箱３の開封面３ａに対向する位置である緩衝部材２の上面に設けられているが、開梱方向を開封面３ａからではなく、底面３ｇ側から取り出す場合、取っ手溝２ｂを緩衝部材２における梱包箱３の底面３ｇに対向する位置である緩衝部材２の底面に形成すれば同様の効果を得ることができる。
【００２３】
また、梱包箱３は、図６に示すように、梱包箱を二分割しない梱包仕様で、かつ、蓋および底が差し込み式になっているＢ式梱包であるが、梱包箱を二分割しないＡ式梱包または梱包箱を箱本体と梱包底面箱に二分割するＣ式梱包などであっても同様の効果を得ることができる。
【００２４】
次に、壁掛け金具４の取り付け手順について説明する。図９は、梱包箱３から映像表示装置１を取り出した状態を示す斜視図である。図１０は、映像表示装置１に対する壁掛け金具４の取り付け作業を示す斜視図である。
【００２５】
図９に示すように、映像表示装置１が梱包箱３から完全に引き出されると、映像表示装置１の表示面１ａは地面に対向している。すなわち、この状態では映像表示装置１の背面１ｂは、天面である。
【００２６】
図９と図１０に示すように、緩衝部材２は、映像表示装置１の左右に取り付けられた状態で、映像表示装置１のＶＥＳＡ穴１ｃに壁掛け金具４が取り付けられるスペースを確保するように構成されている。具体的には、２つの緩衝部材２は、映像表示装置１の左右に取り付けられた状態で、壁掛け金具４が取り付け姿勢のまま通過可能なように、壁掛け金具４の正面視輪郭よりも大きな開口部２ｃを形成している。そのため、緩衝部材２が取り付けられたまま梱包箱３から取り出された映像表示装置１は、姿勢を変えられることなく、ＶＥＳＡ穴１ｃと壁掛け金具４のネジ穴４ｂとをネジ４ａで固定することにより、映像表示装置１の背面１ｂに壁掛け金具４が取り付けられる。
【００２７】
次に、梱包箱３から引き出されたときの映像表示装置１の表示面１ａと地面とのクリアランスについて説明する。図１１は、映像表示装置１の表示面１ａと地面とのクリアランス１ｄを示す断面図である。図１２は、緩衝部材２に保持されていない映像表示装置５の表示面５ａと地面とのクリアランス５ｂを示す断面図である。図１３は、緩衝部材２に保持されていないベゼルレスの映像表示装置６の表示面６ａと地面とのクリアランス６ｂを示す断面図である。
【００２８】
緩衝部材２が映像表示装置１に取り付けられた状態で、壁掛け金具４が映像表示装置１に取り付けられる。そのため、図１１に示すように、梱包箱３から引き出されたときの映像表示装置１の表示面１ａは、地面に対向しているが、映像表示装置１の角部が緩衝部材２に保持されているため、表示面１ａと地面とのクリアランス１ｄは十分確保されている。
【００２９】
図１２に示すように、映像表示装置５が緩衝部材２に保持されていない状態では、映像表示装置５を地面または台に直接伏せた状態で壁掛け金具４が映像表示装置５に取り付けられる。映像表示装置５が緩衝部材２に保持されていないため、映像表示装置５の表示面５ａと地面とのクリアランス５ｂは、ベゼル５ｃの厚みによって決まり、十分なクリアランスを設けることが困難である。そのため、映像表示装置５の表示面５ａを傷つけるリスクが高まる。
【００３０】
図１３に示すように、ベゼルレスの映像表示装置６が緩衝部材２に保持されていない状態でも、映像表示装置６を地面または台に直接伏せた状態で壁掛け金具４が取り付けられる。ベゼルレスの映像表示装置６が緩衝部材２に保持されていないため、ベゼルレスの映像表示装置６の表示面６ａと地面とのクリアランス６ｂは、ゼロとなり、表示面６ａは、地面に接触することになる。そのため、ベゼルレスの映像表示装置６の表示面６ａを傷つけるリスクがさらに高まる。
【００３１】
以上のように、実施の形態１に係る映像表示装置１の梱包構造は、映像表示装置１の角部を保持する２つの緩衝部材２と、映像表示装置１および２つの緩衝部材２を収納する梱包箱３とを備え、２つの緩衝部材２は、映像表示装置１の角部に嵌合する凹み部２ａと、取っ手溝２ｂとを有し、かつ、映像表示装置１に取り付けられた状態で、映像表示装置１の背面に取り付けられる壁掛け金具４が取り付け姿勢のまま通過可能な開口部２ｃを形成し、取っ手溝２ｂは、２つの緩衝部材２における梱包箱３の開封面３ａに対向する位置に形成される。
【００３２】
したがって、映像表示装置１は、映像表示装置１の表示面１ａが下になるように梱包箱３を倒した状態で、２つの緩衝部材２および映像表示装置１が引き出され、映像表示装置１の姿勢を変えることなく、２つの緩衝部材２が取り付けられたまま壁掛け金具４が映像表示装置１の背面に取り付けられる。これにより、梱包箱３を倒した状態で梱包箱３から映像表示装置１を取り出して、映像表示装置１に壁掛け金具４を取り付けるときに、映像表示装置１の表示面１ａを傷つけるリスクを低減することができる。また、開梱作業における作業者の作業負荷を軽減することができる。
【００３３】
２つの緩衝部材２は、映像表示装置１の左側部および右側部をそれぞれ覆うように取り付けられることで、映像表示装置１の角部を保持するため、梱包箱３を倒した状態で梱包箱３から映像表示装置１を取り出したときに、映像表示装置１の表示面１ａと地面とのクリアランス１ｄを十分に確保することができる。
【００３４】
＜実施の形態２＞
次に、実施の形態２に係る映像表示装置１の梱包構造について説明する。図１４は、実施の形態２において映像表示装置１に対する緩衝部材７の取り付け作業を示す斜視図である。図１５は、実施の形態２に係る映像表示装置１の梱包構造の断面図である。なお、実施の形態２において、実施の形態１で説明したものと同一の構成要素については同一符号を付して説明は省略する。
【００３５】
図１４と図１５に示すように、実施の形態２では、映像表示装置１の梱包構造は、２つの緩衝部材２に代えて２つの緩衝部材１１を備え、２つの緩衝部材７をさらに備えている。緩衝部材１１は緩衝部材７と略同じ形状であり、凹み部２ａおよび取っ手溝２ｂと同じ機能を有する凹み部および取っ手溝１１ｂを備えている。さらに２つの緩衝部材１１は開口部２ｃと同じ機能を有する開口部１１ｄを形成する。
【００３６】
各緩衝部材１１の上面における取っ手溝１１ｂの後側に溝１１ｃが形成されている。緩衝部材７は直方体形状に形成され、溝１１ｃに嵌合した状態で、緩衝部材７の上端部が溝１１ｃから上方に突出するとともに、緩衝部材７の下端部が溝１１ｃから下方に突出することが可能である。
【００３７】
２つの緩衝部材１１を映像表示装置１の左右に取り付ける構成では、緩衝部材１１の内壁上面と映像表示装置１の上面１ｅとの間に隙間が形成されており、映像表示装置１の高さ方向にがたつきが発生する。映像表示装置１の高さ方向に発生するがたつきを抑えるため、映像表示装置１が梱包箱３に梱包された状態で、緩衝部材７は、梱包箱３の内壁上面３ｅおよび映像表示装置１の上面１ｅに接するように配置されている。
【００３８】
なお、図１４と図１５に示す緩衝部材７の形状は一例であり、他の形状であってもよい。ここで、２つの緩衝部材１１が複数の第１の緩衝部材に相当し、緩衝部材７が第２の緩衝部材に相当する。
【００３９】
以上のように、実施の形態２に係る映像表示装置１の梱包構造は、緩衝部材７をさらに備え、緩衝部材７は、映像表示装置１が梱包箱３に収納された状態で、梱包箱３の内壁上面３ｅおよび映像表示装置１の上面１ｅに接する。
【００４０】
したがって、緩衝部材７によって映像表示装置１を高さ方向に固定することで、映像表示装置１の高さ方向のがたつきを吸収することができる。
【００４１】
＜実施の形態３＞
次に、実施の形態３に係る映像表示装置１の梱包構造について説明する。図１６は、実施の形態３において映像表示装置１に対する緩衝部材８の取り付け作業を示す斜視図である。図１７は、実施の形態３に係る映像表示装置１の梱包構造の断面図である。なお、実施の形態３において、実施の形態１，２で説明したものと同一の構成要素については同一符号を付して説明は省略する。
【００４２】
図１６と図１７に示すように、実施の形態３では、映像表示装置１の梱包構造は、緩衝部材８をさらに備えている。緩衝部材８はくさび形状に形成され、２つの緩衝部材２が映像表示装置１の左右から取り付けられた状態で、２つの緩衝部材２と映像表示装置１の上面１ｅとの間に形成された隙間２ｄに配置されている。
【００４３】
２つの緩衝部材２を映像表示装置１の左右に取り付ける構成では、緩衝部材２の内壁上面と映像表示装置１の上面１ｅとの間に隙間２ｄが形成されており、映像表示装置１の高さ方向にがたつきが発生する。映像表示装置１の高さ方向に発生するがたつきを抑えるため、隙間２ｄに、緩衝部材８が緩衝部材２の内壁上面および映像表示装置１の上面１ｅに接するように配置されている。ここで、緩衝部材８が第３の緩衝部材に相当する。なお、図１６と図１７に示す緩衝部材８の形状は一例であり、他の形状であってもよい。
【００４４】
以上のように、実施の形態３に係る映像表示装置１の梱包構造は、２つの緩衝部材２が映像表示装置１の左右に取り付けられた状態で、２つの緩衝部材２と映像表示装置１の上面との間に形成された隙間２ｄに、緩衝部材２の内壁上面および映像表示装置１の上面１ｅに接するように配置された２つの緩衝部材８をさらに備える。
【００４５】
したがって、２つの緩衝部材８を隙間２ｄに配置することで、映像表示装置１の高さ方向のばらつきを吸収することができる。
【００４６】
＜実施の形態４＞
次に、実施の形態４に係る映像表示装置１の梱包構造について説明する。図１８は、実施の形態４において映像表示装置１に取り付けられる、左上緩衝部材９ａ、右上緩衝部材９ｂ、左下緩衝部材９ｃ、および右下緩衝部材９ｄに対するバンド１０の固定方法を示す斜視図である。図１９は、左上緩衝部材９ａが映像表示装置１に取り付けられた状態を示す斜視図である。なお、実施の形態４において、実施の形態１〜３で説明したものと同一の構成要素については同一符号を付して説明は省略する。
【００４７】
図１８と図１９に示すように、実施の形態４では、複数の第１の緩衝部材は、左上緩衝部材９ａ、右上緩衝部材９ｂ、左下緩衝部材９ｃ、および右下緩衝部材９ｄにより構成され、左上緩衝部材９ａおよび左下緩衝部材９ｃと、右上緩衝部材９ｂおよび右下緩衝部材９ｄとがそれぞれバンド１０で固定されている。
【００４８】
左上緩衝部材９ａ、右上緩衝部材９ｂ、左下緩衝部材９ｃ、および右下緩衝部材９ｄは、映像表示装置１の左上の角部、右上の角部、左下の角部、右下の角部にそれぞれ取り付けられ、映像表示装置１の左上の角部、右上の角部、左下の角部、右下の角部をそれぞれ保持する。
【００４９】
左上緩衝部材９ａおよび右上緩衝部材９ｂの上面と、左下緩衝部材９ｃ，および右下緩衝部材９ｄの下面には前後方向に延びる溝９ｆが形成されている。溝９ｆは、左上緩衝部材９ａ，右上緩衝部材９ｂ，左下緩衝部材９ｃ，および右下緩衝部材９ｄにおけるバンド１０が通る箇所に形成され、バンド１０がズレないようにするために形成されたものである。左上緩衝部材９ａおよび左下緩衝部材９ｃの溝９ｆにバンド１０が掛けられることで、左上緩衝部材９ａおよび左下緩衝部材９ｃが映像表示装置１の左側部分に固定される。また、右上緩衝部材９ｂおよび右下緩衝部材９ｄの溝９ｆにバンド１０が掛けられることで、右上緩衝部材９ｂおよび右下緩衝部材９ｄが映像表示装置１の右側部分に固定される。
【００５０】
左上緩衝部材９ａおよび右上緩衝部材９ｂの上面における溝９ｆの周辺には、左右方向に延びる緩衝部材２の取っ手溝２ｂと同じ機能を有する取っ手溝９ｅが形成されている。なお、取っ手溝９ｅは、梱包箱３の開封面３ａに対向する位置である左上緩衝部材９ａおよび右上緩衝部材９ｂの上面に設けられているが、映像表示装置１を開封面３ａ側からではなく、底面３ｇ側から取り出す場合、取っ手溝９ｅを左下緩衝部材９ｃおよび右下緩衝部材９ｄにおける梱包箱３の底面３ｇに対向する位置である左下緩衝部材９ｃおよび右下緩衝部材９ｄの底面に形成すれば同様の効果を得ることができる。
【００５１】
なお、溝９ｆは省略可能であり、溝９ｆがない場合でもバンド１０により、左上緩衝部材９ａおよび左下緩衝部材９ｃが映像表示装置１の左側部分に固定され、かつ、右上緩衝部材９ｂおよび右下緩衝部材９ｄが映像表示装置１の右側部分に固定される。また、左上緩衝部材９ａ、右上緩衝部材９ｂ、左下緩衝部材９ｃ、および右下緩衝部材９ｄの形状は、図１８と図１９に示す形状以外であっても構わない。
【００５２】
左上緩衝部材９ａ、右上緩衝部材９ｂ、左下緩衝部材９ｃ、および右下緩衝部材９ｄは、凹み部２ａと同じ機能を有する凹み部を備え、開口部２ｃと同じ機能を有する開口部９ｊを形成する。
【００５３】
以上のように、実施の形態４に係る映像表示装置１の梱包構造では、複数の第１の緩衝部材は、映像表示装置１の角部をそれぞれ保持する、左上緩衝部材９ａ、右上緩衝部材９ｂ、左下緩衝部材９ｃ、および右下緩衝部材９ｄにより構成され、左上緩衝部材９ａおよび左下緩衝部材９ｃと、右上緩衝部材９ｂおよび右下緩衝部材９ｄとをそれぞれ固定する２つのバンド１０をさらに備える。
【００５４】
したがって、バンド１０により、左上緩衝部材９ａおよび左下緩衝部材９ｃが映像表示装置１の左側部分に固定され、かつ、右上緩衝部材９ｂおよび右下緩衝部材９ｄが映像表示装置１の右側部分に固定されることから、実施の形態１の場合と同様の効果を奏する。
【００５５】
＜実施の形態５＞
次に、実施の形態５に係る映像表示装置１の梱包構造について説明する。図２０は、実施の形態５において映像表示装置１に取り付けられる、左上緩衝部材９ｈ、右上緩衝部材９ｉ、左下緩衝部材９ｃ、および右下緩衝部材９ｄに対するバンド１０の固定方法を示す斜視図である。図２１は、左上緩衝部材９ｈが映像表示装置１に取り付けられた状態を示す斜視図である。なお、実施の形態５において、実施の形態１〜４で説明したものと同一の構成要素については同一符号を付して説明は省略する。
【００５６】
図２０と図２１に示すように、実施の形態５では映像表示装置１の梱包構造は、実施の形態４に対して、左上緩衝部材９ａおよび右上緩衝部材９ｂに代えて、左上緩衝部材９ｈおよび右上緩衝部材９ｉを備えている。ここで、複数の第１の緩衝部材は、左上緩衝部材９ｈ、右上緩衝部材９ｉ、左下緩衝部材９ｃ、および右下緩衝部材９ｄにより構成されている。
【００５７】
左上緩衝部材９ｈおよび右上緩衝部材９ｉは、左右方向に延びる取っ手溝９ｇを有している。取っ手溝９ｇは、左上緩衝部材９ｈおよび右上緩衝部材９ｉの上面における溝９ｆの周辺に形成され、バンド１０の幅よりも大きな幅を有している。バンド１０は、取っ手溝９ｇの一部を通るように掛けられている。そのため、取っ手溝９ｇの残部は露出していることから、作業者はバンド１０を掴みやすくなる。
【００５８】
なお、取っ手溝９ｇは、梱包箱３の開封面３ａに対向する位置である左上緩衝部材９ｈおよび右上緩衝部材９ｉの上面に設けられているが、映像表示装置１を開封面３ａ側からではなく、底面３ｇ側から取り出す場合、取っ手溝９ｇを左下緩衝部材９ｃおよび右下緩衝部材９ｄにおける梱包箱３の底面３ｇに対向する位置である左下緩衝部材９ｃおよび右下緩衝部材９ｄの底面に形成すれば同様の効果を得ることができる。また、左上緩衝部材９ｈ、右上緩衝部材９ｉ、左下緩衝部材９ｃ、および右下緩衝部材９ｄの形状は、図２０と図２１に示す形状以外であっても構わない。
【００５９】
左上緩衝部材９ｈ、右上緩衝部材９ｉ、左下緩衝部材９ｃ、および右下緩衝部材９ｄは、凹み部２ａと同じ機能を有する凹み部を備え、開口部２ｃと同じ機能を有する開口部９ｊを形成する。
【００６０】
以上のように、実施の形態５に係る映像表示装置１の梱包構造では、取っ手溝９ｇの幅は、バンド１０の幅よりも大きく形成され、バンド１０は、取っ手溝９ｇの一部を通るように掛けられる。
【００６１】
したがって、作業者がバンド１０を掴みやすくなり、バンド１０を掴んで引っ張ることで梱包箱３から映像表示装置１を引き出すことができる。また、左上緩衝部材９ｈ、右上緩衝部材９ｉ、左下緩衝部材９ｃ、および右下緩衝部材９ｄの強度が弱い場合でも、取っ手溝９ｇの一部を通るバンド１０を掴んで映像表示装置１を引き出すことにより、左上緩衝部材９ｈ、右上緩衝部材９ｉ、左下緩衝部材９ｃ、または右下緩衝部材９ｄを掴まずに映像表示装置１を引き出すことができる。
【００６２】
＜実施の形態６＞
次に、実施の形態６に係る映像表示装置１の梱包構造について説明する。図２２は、実施の形態６において取っ手溝１２ｂに指を入れて把持した状態で映像表示装置１を立てる作業を示す斜視図である。図２３は、持ち手溝１２ｆに指を入れて把持した状態で映像表示装置１を持ち上げる作業を示す斜視図である。なお、実施の形態６において、実施の形態１〜５で説明したものと同一の構成要素については同一符号を付して説明は省略する。
【００６３】
図２２と図２３に示すように、実施の形態６では映像表示装置１の梱包構造は、実施の形態１に対して、２つの緩衝部材２に代えて２つの緩衝部材１２を備えている。ここで、２つの緩衝部材１２が複数の第１の緩衝部材に相当する。
【００６４】
緩衝部材１２の上面には、取っ手溝２ｂと同じ機能を有する取っ手溝１２ｂが形成されている。緩衝部材１２の側面には、作業者が指を入れることが可能な持ち手溝１２ｆが形成されている。また、緩衝部材１２の底面には、作業者が指を入れることが可能な持ち手溝１２ｇが形成されている。なお、図２２と図２３に示す緩衝部材１２の形状は一例であり、他の形状であってもよい。また、持ち手溝１２ｆは、緩衝部材１２の上面に形成されても、同様の効果を得ることができる。
【００６５】
図２２に示すように、作業者は、映像表示装置１に壁掛け金具４を取り付けた後、緩衝部材１２の取っ手溝１２ｂに指を入れて、緩衝部材１２の前稜線１２ｅを支点として、映像表示装置１を立てる。次に、図２３に示すように、作業者は、映像表示装置１を立てた状態で持ち手溝１２ｆまたは持ち手溝１２ｇに指を入れて、映像表示装置１を持ち上げることで、映像表示装置１の壁掛け設置を行う。このとき、作業者は、映像表示装置１の表示面１ａに触れることなく壁掛け設置を行うことができる。
【００６６】
なお、取っ手溝１２ｂは、梱包箱３の開封面３ａに対向する位置である緩衝部材１２の上面に設けられているが、映像表示装置１を開封面３ａ側からではなく、底面３ｇ側から取り出す場合、取っ手溝１２ｂを緩衝部材１２における底面３ｇに対向する位置である緩衝部材１２の底面に形成すれば同様の効果を得ることができる。この場合、作業者は、壁掛け金具４が取り付けられた映像表示装置１を立てるとき、開封面３ａ側の取っ手溝１２ｂに指を入れる必要があるため、開封面３ａ側にも取っ手溝１２ｂが形成される。
【００６７】
緩衝部材１２は、凹み部２ａと同じ機能を有する凹み部を備えている。さらに２つの緩衝部材１２は開口部２ｃと同じ機能を有する開口部１２ｈを形成する。
【００６８】
以上のように、実施の形態６に係る映像表示装置１の梱包構造では、２つの緩衝部材１２は、２つの緩衝部材１２の側面と底面、または上面と底面に形成された持ち手溝１２ｆ，１２ｇをさらに有する。したがって、作業者は、持ち手溝１２ｆまたは持ち手溝１２ｇに指を入れて把持した状態で映像表示装置１の壁掛け設置を行うことができる。また、緩衝部材１２の上面に取っ手溝１２ｂが形成されたことにより、作業者は、取っ手溝１２ｂに指を入れて把持した状態で、壁掛け金具４が取り付けられた映像表示装置１を立てることができる。
【００６９】
取っ手溝１２ｂは２つの緩衝部材１２の上面に形成されるため、映像表示装置１を開封面３ａ側からではなく、底面３ｇ側から取り出す場合にも、作業者は、２つの緩衝部材１２の上面に形成された取っ手溝１２ｂに指を入れて把持した状態で、壁掛け金具４が取り付けられた映像表示装置１を立てることができる。
【００７０】
なお、実施の形態４，５で説明を行った左上緩衝部材９ａ，９ｈおよび右上緩衝部材９ｂ，９ｉに持ち手溝１２ｆを形成し、かつ、左下緩衝部材９ｃおよび右下緩衝部材９ｄに持ち手溝１２ｇを形成してもよい。この場合も、作業者は、持ち手溝１２ｆに指を入れて把持した状態で映像表示装置１の壁掛け設置を行うことができる。また、取っ手溝１２ｂは、左上緩衝部材９ａ，９ｈおよび右上緩衝部材９ｂ，９ｉの上面に形成されるため、作業者は、取っ手溝１２ｂに指を入れて把持した状態で、壁掛け金具４が取り付けられた映像表示装置１を立てることができる。
【００７１】
＜実施の形態７＞
次に、実施の形態７に係る映像表示装置１の梱包構造について説明する。図２４は、実施の形態７において緩衝部材１３が取り付けられた映像表示装置１に専用壁掛け金具１４を固定する前の状態を示す背面図である。図２５は、緩衝部材１３が取り付けられた映像表示装置１に専用壁掛け金具１４が固定された状態を示す背面図である。なお、実施の形態７において、実施の形態１〜６で説明したものと同一の構成要素については同一符号を付して説明は省略する。
【００７２】
図２４と図２５に示すように、実施の形態７では映像表示装置１の梱包構造は、実施の形態１に対して、２つの緩衝部材２に代えて２つの緩衝部材１３を備えている。ここで、２つの緩衝部材１３が複数の第１の緩衝部材に相当する。
【００７３】
２つの緩衝部材１３は、専用壁掛け金具１４の正面視輪郭に対応する形状を有する開口部１３ｈを形成する。開口部１３ｈは、映像表示装置１の背面１ｂ側の専用壁掛け金具１４が取り付けられる位置における２つの緩衝部材１３の間に形成され、専用壁掛け金具１４の正面視輪郭を均等に縮小した形状である。そのため、開口部１３ｈは、専用壁掛け金具１４が取り付け姿勢のまま通過可能である。
【００７４】
専用壁掛け金具１４は、専用品として作られた壁掛け金具である。専用壁掛け金具１４は、映像表示装置１の重量および形状に応じて作られる。
【００７５】
図２５に示すように、２つの緩衝部材１３は開口部１３ｈを形成することにより、映像表示装置１に取り付けられた緩衝部材１３を取り外さなくても、映像表示装置１に専用壁掛け金具１４を取り付けることができる。また、緩衝部材１３の開口部１３ｈは、専用壁掛け金具１４にのみ対応可能となっている。さらに、緩衝部材１３は、凹み部２ａおよび取っ手溝２ｂと同じ機能を有する凹み部および取っ手溝を備えている。
【００７６】
以上のように、実施の形態７に係る映像表示装置１の梱包構造では、開口部１３ｈは、専用壁掛け金具１４の正面視輪郭に対応する形状を有する。したがって、映像表示装置１の背面１ｂにあるＶＥＳＡ穴１ｃに、ＶＥＳＡ規格に対応している専用壁掛け金具１４以外の壁掛け金具を誤って取り付けようとするリスクを低減することができる。
【００７７】
また、実施の形態４，５で説明を行った左上緩衝部材９ａ，９ｈおよび右上緩衝部材９ｂ，９ｉが、専用壁掛け金具１４の正面視輪郭に対応する形状を有する開口部１３ｈを形成してもよい。この場合、上記と同様の効果が得られる。
【００７８】
なお、本発明は、その発明の範囲内において、各実施の形態を自由に組み合わせたり、各実施の形態を適宜、変形、省略することが可能である。
【符号の説明】
【００７９】
１  映像表示装置、２  緩衝部材、２ａ  凹み部、２ｂ  取っ手溝、２ｃ  開口部、３  梱包箱、３ａ  開封面、４  壁掛け金具、７，８，９ａ，９ｂ，９ｃ，９ｄ，９ｈ，９ｉ  緩衝部材、９ｅ，９ｇ  取っ手溝、９ｊ  開口部、１０  バンド、１１，１２，１３  緩衝部材、１１ｂ  取っ手溝、１１ｄ  開口部、１２ｂ  取っ手溝、１２ｆ，１２ｇ  持ち手溝、１２ｈ，１３ｈ  開口部、１４  専用壁掛け金具。
【図１】
2020158135.tif 000003
【図２】
2020158135.tif 000004
【図３】
2020158135.tif 000005
【図４】
2020158135.tif 000006
【図５】
2020158135.tif 000007
【図６】
2020158135.tif 000008
【図７】
2020158135.tif 000009
【図８】
2020158135.tif 000010
【図９】
2020158135.tif 000011
【図１０】
2020158135.tif 000012
【図１１】
2020158135.tif 000013
【図１２】
2020158135.tif 000014
【図１３】
2020158135.tif 000015
【図１４】
2020158135.tif 000016
【図１５】
2020158135.tif 000017
【図１６】
2020158135.tif 000018
【図１７】
2020158135.tif 000019
【図１８】
2020158135.tif 000020
【図１９】
2020158135.tif 000021
【図２０】
2020158135.tif 000022
【図２１】
2020158135.tif 000023
【図２２】
2020158135.tif 000024
【図２３】
2020158135.tif 000025
【図２４】
2020158135.tif 000026
【図２５】
2020158135.tif 000027